(57)【特許請求の範囲】
【請求項１】
躯体（２）の壁面部（３）とは所望する間隔をもって平行状態で起立されている外装材取付金具（１、１、１、１．．．）における正面から見て中央に位置する外装材取付金具（１）と、左方に位置する外装材取付金具（１）と、右方に位置する外装材取付金具（１）、第１横振れ防止具（１０）から構成され、
イ．外装材取付金具（１）は、躯体（２）の壁面部（３）とは所望する間隔をもって平行状態で支持されるべき角筒状の外装材取付縦枠（４）において、躯体の壁面部（３）に外装材取付縦枠（４）と対応するように上下方向をもって打設された適数本のグリップアンカー（５）と、このグリップアンカーに螺合植設された支持棒（６）と、この支持棒（６）の根本部分に螺合された根本用ナット（７）と、支持棒（６）の先端部分に螺合された内ナット体（８Ａ）と外ナット体（８Ｂ）を一対とする外方ナット（８）から構成され、支持棒（６）の先端部分には外方ナット（８）を利用して外装材取付縦枠（４）が連結支持され、グリップアンカー（５）における根本用ナット（７）の取付部分と、外装材取付縦枠（４）における外方ナット（８）の取付箇所より下方位置との間に傾斜状態で補強部（９）が掛架され、この補強部（９）は、断面Ｕ字状に二つ折りして圧着してなる傾斜板（９Ａ）と、傾斜板の上端に垂直状態に連設した垂直板（９Ｂ）と、垂直板の中心に開設した円孔（９Ｂ１）と、傾斜板（９Ａ）の下方に刻設した切込みにより左右に分けられた挟持枠用片（９Ｃ、９Ｃ）と、挟持枠用片（９Ｃ）に開設されたビス穴（９Ｃ１）から構成され、外装材取付縦枠（４）における内方面（４Ａ）に支持棒（６）の先端部分が貫入できる円孔（４Ａ１）を開設すると共に、外装材取付縦枠（４）における外方面（４Ｂ）には外方ナット（８）の外ナット体（８Ｂ）を外方から操作するための円孔（４Ｂ１）を開設しておき、支持棒（６）の先端部分から外方ナット（８）における外ナット体（８Ｂ）を外しておき、内ナット体（８Ａ）が外装材取付縦枠（４）の内方面に位置する状態で当該支持棒（６）を円孔（４Ａ１）に貫入したのち、外ナット体（８Ｂ）で外方から締め付けるように構成され、挟持枠用片（９Ｃ）は、取付に際して、外装材取付縦枠（４）を内方から挟持できるよう平面外向きコ字状に開くよう構成され、補強部（９）における円孔（９Ｂ１）には支持棒（６）が貫入され、グリップアンカー（５）に対して根本用ナット（７）で圧着され、かつ、左右の挟持枠用片（９Ｃ、９Ｃ）は、取付に際して左右に開き外装材取付縦枠を内方から挟持した状態にしてビス（９Ｃ２）で固着するよう構成され、
ロ．第１横振れ防止具（１０）は、中央に位置する外装材取付金具（１）に取付けられる中央金具（１０Ａ）と、中央金具（１０Ａ）と左方に位置する外装材取付金具（１）との間に張設される左方連結棒（１０Ｂ）と、中央金具（１０Ａ）と右方に位置する外装材取付金具（１）との間に張設される右方連結棒（１０Ｃ）から構成され、
中央金具（１０Ａ）は、正面左右に長い細幅板の中央部（１０Ａ１）を残して前方に向け折曲げ形成した左右片（１０Ａ２、１０Ａ２）と、中央部（１０Ａ１）に開設された支持棒（６）の先端が貫入される中央孔と左右片に開設された連結棒貫入用の側方孔から構成され、
左方連結棒（１０Ｂ）は、所定長さの連結棒（１０Ｂ１）の左端に固着された小板（１０Ｂ２）と、この小板に開設された支持棒（６）の後端が貫入される左方孔と、中央金具（１０Ａ）の連結棒貫入用の側方孔を貫通する連結棒（１０Ｂ１）の右端に螺合された中央金具に固定するためのナットから構成され、
右方連結棒（１０Ｃ）は、所定長さの連結棒（１０Ｃ１）の右端に固着された小板（１０Ｃ２）と、この小板に開設された支持棒（６）の後端が貫入される右方孔と、中央金具（１０Ａ）の連結棒貫入用の側方孔を貫通する連結棒（１０Ｃ１）の左端に螺合された中央金具に固定するためのナットから構成され、
中央金具（１０Ａ）は、外装材取付縦枠（４）における内方面（４Ａ）に支持棒（６）、外方ナット（８）で固定され、左方連結棒（１０Ｂ）の右方端と右方連結棒（１０Ｃ）の左方端は、中央金具（１０Ａ）に固定され、左方連結棒（１０Ｂ）の左方端と右方連結棒（１０Ｃ）の右方端は、支持棒（６）、根本用ナット（７）でグリップアンカー（５）に固定されていることを特徴とする外装材取付装置。
【請求項２】
躯体（２）の壁面部（３）とは所望する間隔をもって平行状態で起立されている外装材取付金具（１、１、１、１．．．）における正面から見て中央に位置する外装材取付金具（１）と、左方に位置する外装材取付金具（１）と、右方に位置する外装材取付金具（１）と、第２横振れ防止具（１１）から構成され、
イ．外装材取付金具（１）は、躯体（２）の壁面部（３）とは所望する間隔をもって平行状態で支持されるべき角筒状の外装材取付縦枠（４）において、躯体の壁面部（３）に外装材取付縦枠（４）と対応するように上下方向をもって打設された適数本のグリップアンカー（５）と、このグリップアンカーに螺合植設された支持棒（６）と、この支持棒（６）の根本部分に螺合された根本用ナット（７）と、支持棒（６）の先端部分に螺合された内ナット体（８Ａ）と外ナット体（８Ｂ）を一対とする外方ナット（８）から構成され、支持棒（６）の先端部分には外方ナット（８）を利用して外装材取付縦枠（４）が連結支持され、グリップアンカー（５）における根本用ナット（７）の取付部分と、外装材取付縦枠（４）における外方ナット（８）の取付箇所より下方位置との間に傾斜状態で補強部（９）が掛架され、この補強部（９）は、断面Ｕ字状に二つ折りして圧着してなる傾斜板（９Ａ）と、傾斜板の上端に垂直状態に連設した垂直板（９Ｂ）と、垂直板の中心に開設した円孔（９Ｂ１）と、傾斜板（９Ａ）の下方に刻設した切込みにより左右に分けられた挟持枠用片（９Ｃ、９Ｃ）と、挟持枠用片（９Ｃ）に開設されたビス穴（９Ｃ１）から構成され、外装材取付縦枠（４）における内方面（４Ａ）に支持棒（６）の先端部分が貫入できる円孔（４Ａ１）を開設すると共に、外装材取付縦枠（４）における外方面（４Ｂ）には外方ナット（８）の外ナット体（８Ｂ）を外方から操作するための円孔（４Ｂ１）を開設しておき、支持棒（６）の先端部分から外方ナット（８）における外ナット体（８Ｂ）を外しておき、内ナット体（８Ａ）が外装材取付縦枠（４）の内方面に位置する状態で当該支持棒（６）を円孔（４Ａ１）に貫入したのち、外ナット体（８Ｂ）で外方から締め付けるように構成され、挟持枠用片（９Ｃ）は、取付に際して、外装材取付縦枠（４）を内方から挟持できるよう平面外向きコ字状に開くよう構成され、補強部（９）における円孔（９Ｂ１）には支持棒（６）が貫入され、グリップアンカー（５）に対して根本用ナット（７）で圧着され、かつ、左右の挟持枠用片（９Ｃ、９Ｃ）は、取付に際して左右に開き外装材取付縦枠を内方から挟持した状態にしてビス（９Ｃ２）で固着するよう構成され、
ロ．第２横振れ防止具（１１）は、中央に位置する外装材取付縦枠（４）に開設された左方用横穴（１１Ａ）と、左方に位置する外装材取付金具（１）との間に張設される左方連結棒（１１Ｂ）と、中央に位置する外装材取付縦枠（４）に開設された右方用横穴（１１Ｃ）と、右方に位置する外装材取付金具（１）との間に張設される右方連結棒（１１Ｄ）から構成され、
左方用横穴（１１Ａ）は、外装材取付縦枠（４）における左右側面を左方から右方に向け貫通して開設され、
右方用横穴（１１Ｃ）は、外装材取付縦枠（４）における左右側面を右方から左方に向け貫通して開設され、
左方連結棒（１１Ｂ）は、所定長さの連結棒（１１Ｂ１）の左端に固着された小板（１１Ｂ２）と、この小板に開設された支持棒（６）の後端が貫入される左方孔と、左方用横穴（１１Ａ）を貫通する連結棒（１１Ｂ１）の右端に螺合されたナット（１１Ｂ３）から構成され、
右方連結棒（１１Ｄ）は、所定長さの連結棒（１１Ｄ１）の右端に固着された小板（１１Ｄ２）と、この小板に開設された支持棒（６）の後端が貫入される右方孔と、右方用横穴（１１Ｃ）を貫通する連結棒（１１Ｄ１）の左端に螺合されたナット（１１Ｄ３）から構成され、
左方連結棒（１１Ｂ）の左方端と右方連結棒（１１Ｄ）の右方端は、支持棒（６）、根本用ナット（７）でグリップアンカー（５）に固定され、左方連結棒（１１Ｂ）の右方端と右方連結棒（１１Ｄ）の左方端は、それぞれ左方用横穴（１１Ａ）と右方用横穴（１１Ｃ）を貫通した後、ナットで締付け固定されていることを特徴とする外装材取付装置。
【発明の詳細な説明】
【０００１】
【発明の属する技術分野】
本発明は、外壁の外断熱工法に好適な外装材取付装置に関するものである。
【０００２】
【従来の技術】
１．従来この種のものにあっては、外壁の外断熱工法がとられることは極めて少なく、断熱材を使用しない場合、または内断熱工法が大部分である。
鉄筋コンクリート造、ＰＣコンクリート造、ＡＬＣ造、押し出しセメント成型板造等の外壁に外装材を取付ける方法において、断熱材を使用しない場合、または内断熱工法においては、外装材にタイルを使用する場合は、コンクリート躯体にモルタルでタイルを取付ける。
また、金属サイデング、窯業系サイデング等を取付ける場合は、通常コンクリート躯体に外装取付金具を取付け、これに外装パネルを取付ける方法で行われる。
２．最近、省エネルギー及び内部結露の防止が社会問題となり、その対策として外断熱工法が採用されつつあるが、外断熱工法を採用すれば、コンクリート躯体にアンカーボルトなどで取付けられた金具が断熱材の中を貫通して断熱材の外側の外装材下地を固定することになり、その外装材下地に外装材を取付ける。
【０００３】
【発明が解決しようとする課題】
従来の技術で述べたものにあっては、下記のような問題点を有していた。
外断熱を採用すれば、コンクリート躯体と外装材はそれらをつなぐ取付金具により固定されるが、断熱層があるため、断熱材がない場合に比べ躯体側である鉄筋コンクリート、ＰＣコンクリート、ＡＬＣ等外面と外装材との距離が大きくなる。
つまり、外壁の外部側に断熱材がない場合は、タイル、外装パネルは簡単に取付くが、外断熱工法の場合、断熱材の外側に外装材を固定しなければならないので、取付方法が複雑になる。
また、外装材はそれ自身の重量の他、風圧荷重、地震力等が加わり、それらの総荷重は取付金具を介して躯体にかかることになる。
外装材と躯体との距離が大きくなれば、それに比例して取付金具の躯体とつなぐ部分にかかるモーメント力が大きくなり、これに対処するため、その部分のサイズアップまたは躯体とつなぎ部分の数量を増加させる必要がある。
サイズアップまたは数量の増加は熱橋部の増加となり、放熱量の増加につながり、省エネ上好ましくなく、また、取付工数のアップ等につながり、経済的にも好ましくない。
【０００４】
本発明は、従来の技術の有するこのような問題点に鑑みなされたものであり、その目的とするところは、次のようなことのできるものを提供しようとするものである。
Ａ．地震力等の横揺れに対する荷重が剪断力と引張り力だけで受けるため、断面積を小さくでき熱橋となる熱ロスを最小にできる。
Ｂ．断熱材に切込みを入れるだけで容易に断熱材の中を貫通させることができると共に、断熱材のつぶれや隙間による断熱性能の低下がない。
Ｃ．外装材の重量、建物の高さによる地震力の影響による横揺力を、取付数量を調整することで適正な強度が確保できる。
Ｄ．連結棒先端のナットにより取付長さの調整が容易にできると共に、外装材取付縦枠の左右方向の位置ずれを容易に調整できる。
【０００５】
【課題を解決するための手段】
上記目的を達成するために、本発明は下記のようになるものである。
【０００６】
請求項１記載の発明は、躯体２の壁面部３とは所望する間隔をもって平行状態で起立されている外装材取付金具１、１、１、１．．．における正面から見て中央に位置する外装材取付金具１と、左方に位置する外装材取付金具１と、右方に位置する外装材取付金具１と、第１横振れ防止具１０から構成されている。
【０００７】
イ．外装材取付金具１は、躯体２の壁面部３とは所望する間隔をもって平行状態で支持されるべき角筒状の外装材取付縦枠４において、躯体の壁面部２Ａに外装材取付縦枠４と対応するように上下方向をもって打設された適数本のグリップアンカー５と、このグリップアンカーに螺合植設された支持棒６と、この支持棒６の根本部分に螺合された根本用ナット７と、支持棒６の先端部分に螺合された内ナット体８Ａと外ナット体８Ｂを一対とする外方ナット８から構成され、
支持棒６の先端部分には外方ナット８を利用して外装材取付縦枠４が連結支持され、グリップアンカー５における根本用ナット７の取付部分と、外装材取付縦枠４における外方ナット８の取付箇所より下方位置との間に傾斜状態で補強部９が掛架され、この補強部９は、断面Ｕ字状に二つ折りして圧着してなる傾斜板９Ａと、傾斜板の上端に垂直状態に連設した垂直板９Ｂと、垂直板の中心に開設した円孔９Ｂ１と、傾斜板９Ａの下方に刻設した切込みにより左右に分けられた挟持枠用片９Ｃ、９Ｃと、挟持枠用片９Ｃに開設されたビス穴９Ｃ１から構成され、外装材取付縦枠４における内方面４Ａに支持棒６の先端部分が貫入できる円孔４Ａ１を開設すると共に、外装材取付縦枠４における外方面４Ｂには外方ナット８の外ナット体８Ｂを外方から操作するための円孔４Ｂ１を開設しておき、支持棒６の先端部分から外方ナット８における外ナット体８Ｂを外しておき、内ナット体８Ａが外装材取付縦枠４の内方面に位置する状態で当該支持棒６を円孔４Ａ１に貫入したのち、外ナット体８Ｂで外方から締付けるように構成され、挟持枠用片９Ｃは、取付に際して、外装材取付縦枠４を内方から挟持できるよう平面外向きコ字状に開くよう構成され、補強部９における円孔９Ｂ１には支持棒６が貫入され、グリップアンカー５に対して根本用ナット７で圧着され、かつ、左右の挟持枠用片９Ｃ、９Ｃは、取付に際して左右に開き外装材取付縦枠を内方から挟持した状態にしてビス９Ｃ２で固着するよう構成され、
ロ．第１横振れ防止具１０は、中央に位置する外装材取付金具１に取付けられる中央金具１０Ａと、中央金具１０Ａと左方に位置する外装材取付金具１との間に張設される左方連結棒１０Ｂと、中央金具１０Ａと右方に位置する外装材取付金具１との間に張設される右方連結棒１０Ｃから構成され、
中央金具１０Ａは、正面左右に長い細幅板の中央部１０Ａ１を残して前方に向け折曲げ形成した左右片１０Ａ２、１０Ａ２と、中央部１０Ａ１に開設された支持棒６の先端が貫入される中央孔と左右片に開設された連結棒貫入用の側方孔から構成され、
左方連結棒１０Ｂは、所定長さの連結棒１０Ｂ１の左端に固着された小板１０Ｂ２と、この小板に開設された支持棒６の後端が貫入される左方孔と、中央金具１０Ａの連結棒貫入用の側方孔を貫通する連結棒１０Ｂ１の右端に螺合されたナット１０Ｂ３、１０Ｂ４から構成され、
右方連結棒１０Ｃは、所定長さの連結棒１０Ｃ１の右端に固着された小板１０Ｃ２と、この小板に開設された支持棒６の後端が貫入される右方孔と、中央金具１０Ａの連結棒貫入用の側方孔を貫通する連結棒１０Ｃ１の左端に螺合されたナット１０Ｃ３、１０Ｃ４から構成され、
中央金具１０Ａは、外装材取付縦枠４における内方面４Ａに支持棒６、外方ナット８で固定され、左方連結棒１０Ｂの右方端と右方連結棒１０Ｃの左方端は、中央金具１０Ａに固定され、左方連結棒１０Ｂの左方端と右方連結棒１０Ｃの右方端は、支持棒６、根本用ナット７でグリップアンカー５に固定されていることを特徴とするものである。
【０００８】
請求項２記載の発明は、躯体２の壁面部３とは所望する間隔をもって平行状態で起立されている外装材取付金具１、１、１、１．．．における正面から見て中央に位置する外装材取付金具１と、左方に位置する外装材取付金具１と、右方に位置する外装材取付金具１と、第２横振れ防止具１１から構成されている。
【０００９】
イ．外装材取付金具１は、躯体２の壁面部３とは所望する間隔をもって平行状態で支持されるべき角筒状の外装材取付縦枠４において、躯体の壁面部２Ａに外装材取付縦枠４と対応するように上下方向をもって打設された適数本のグリップアンカー５と、このグリップアンカーに螺合植設された支持棒６と、この支持棒６の根本部分に螺合された根本用ナット７と、支持棒６の先端部分に螺合された内ナット体８Ａと外ナット体８Ｂを一対とする外方ナット８から構成され、支持棒６の先端部分には外方ナット８を利用して外装材取付縦枠４が連結支持され、グリップアンカー５における根本用ナット７の取付部分と、外装材取付縦枠４における外方ナット８の取付箇所より下方位置との間に傾斜状態で補強部９が掛架され、この補強部９は、断面Ｕ字状に二つ折りして圧着してなる傾斜板９Ａと、傾斜板の上端に垂直状態に連設した垂直板９Ｂと、垂直板の中心に開設した円孔９Ｂ１と、傾斜板９Ａの下方に刻設した切込みにより左右に分けられた挟持枠用片９Ｃ、９Ｃと、挟持枠用片９Ｃに開設されたビス穴９Ｃ１から構成され、外装材取付縦枠４における内方面４Ａに支持棒６の先端部分が貫入できる円孔４Ａ１を開設すると共に、外装材取付縦枠４における外方面４Ｂには外方ナット８の外ナット体８Ｂを外方から操作するための円孔４Ｂ１を開設しておき、支持棒６の先端部分から外方ナット８における外ナット体８Ｂを外しておき、内ナット体８Ａが外装材取付縦枠４の内方面に位置する状態で当該支持棒６を円孔４Ａ１に貫入したのち、外ナット体８Ｂで外方から締付けるように構成され、挟持枠用片９Ｃは、取付に際して、外装材取付縦枠４を内方から挟持できるよう平面外向きコ字状に開くよう構成され、補強部９における円孔９Ｂ１には支持棒６が貫入され、グリップアンカー５に対して根本用ナット７で圧着され、かつ、左右の挟持枠用片９Ｃ、９Ｃは、取付に際して左右に開き外装材取付縦枠を内方から挟持した状態にしてビス９Ｃ２で固着するよう構成され、
ロ．第２横振れ防止具１１は、中央に位置する外装材取付縦枠４に開設された左方用横穴１１Ａと、左方に位置する外装材取付金具１との間に張設される左方連結棒１１Ｂと、中央に位置する外装材取付縦枠４に開設された右方用横穴１１Ｃと、右方に位置する外装材取付金具１との間に張設される右方連結棒１１Ｄから構成され、
左方用横穴１１Ａは、外装材取付縦枠４における左右側面を左方から右方に向け貫通して開設され、
右方用横穴１１Ｃは、外装材取付縦枠４における左右側面を右方から左方に向け貫通して開設され、
左方連結棒１１Ｂは、所定長さの連結棒１１Ｂ１の左端に固着された小板１１Ｂ２と、この小板に開設された支持棒６の後端が貫入される左方孔と、左方用横穴１１Ａを貫通する連結棒１１Ｂ１の右端に螺合されたナット１１Ｂ３から構成され、
右方連結棒１１Ｄは、所定長さの連結棒１１Ｄ１の右端に固着された小板１１Ｄ２と、この小板に開設された支持棒６の後端が貫入される右方孔と、右方用横穴１１Ｃを貫通する連結棒１１Ｄ１の左端に螺合されたナット１１Ｄ３から構成され、
左方連結棒１１Ｂの左方端と右方連結棒１１Ｄの右方端は、支持棒６、根本用ナット７でグリップアンカー５に固定され、左方連結棒１１Ｂの右方端と右方連結棒１１Ｄの左方端は、それぞれ左方用横穴１１Ａと右方用横穴１１Ｃを貫通した後、ナットで締付け固定されていることを特徴とするものである。
【００１０】
【発明の実施の形態】
以下、本発明の実施の形態を実施例に基づき図面を参照して説明する。
【００１１】
第１発明は外装材取付装置１Ａ１に関し、第２発明は外装材取付装置１Ａ２に関するものである。
【００１２】
本発明に用いる外装材取付金具１は、下記のように構成されている。
なお、この外装材取付金具１は、本発明の発明者が先に発明した「外装材取付金具〜特公平８−１６３８６号」を改良したものである。
躯体２の壁面部３とは所望する間隔をもって平行状態で支持されるべき角筒状の外装材取付縦枠４において、躯体の壁面部３に外装材取付縦枠４と対応するように上下方向をもって打設された適数本のグリップアンカー５と、このグリップアンカーに螺合植設された支持棒６と、この支持棒６の根本部分に螺合された根本用ナット７と、支持棒６の先端部分に螺合された内ナット体８Ａと外ナット体８Ｂを一対とする外方ナット８から構成され、支持棒６の先端部分には外方ナット８を利用して外装材取付縦枠４が連結支持され、グリップアンカー５における根本用ナット７の取付部分と、外装材取付縦枠４における外方ナット８の取付箇所より下方位置との間に傾斜状態で補強部９が掛架され、この補強部９は、断面Ｕ字状に二つ折りして圧着してなる傾斜板９Ａと、傾斜板の上端に垂直状態に連設した垂直板９Ｂと、垂直板の中心に開設した円孔９Ｂ１と、傾斜板９Ａの下方に刻設した切込みにより左右に分けられた挟持枠用片９Ｃ、９Ｃと、挟持枠用片９Ｃに開設されたビス穴９Ｃ１から構成され、外装材取付縦枠４における内方面４Ａに支持棒６の先端部分が貫入できる円孔４Ａ１を開設すると共に、外装材取付縦枠４における外方面４Ｂには外方ナット８の外ナット体８Ｂを外方から操作するための円孔４Ｂ１を開設しておき、支持棒６の先端部分から外方ナット８における外ナット体８Ｂを外しておき、内ナット体８Ａが外装材取付縦枠４の内方面に位置する状態で当該支持棒６を円孔４Ａ１に貫入したのち、外ナット体８Ｂで外方から締め付けるように構成されている。
【００１３】
挟持枠用片９Ｃは、取付に際して、外装材取付縦枠４を内方から挟持できるよう平面外向きコ字状に開くよう構成されている。
そこで、補強部９における円孔９Ｂ１には支持棒６が貫入され、グリップアンカー５に対して根本用ナット７で圧着され、かつ、左右の挟持枠用片９Ｃ、９Ｃは、取付に際して左右に開き外装材取付縦枠を内方から挟持した状態にしてビス９Ｃ２で固着するよう構成される。
【００１４】
なお、補強部９は引っ張り応力しかかからず、部材は小さくてすむ。
外装材取付縦枠４は断熱材１２を圧着し、固定する機能を持つと共に、外装材をビス等で固定する下地材となる。
内ナット体８Ａを回転することにより、外装材取付縦枠４のレベル調整が簡単に行える。
外装材取付縦枠４の内方面側の面が断熱材１２を圧着し、外側面に外装材が取付けられることにより、この外装材取付縦枠の部材の厚さが空気層となる。
外装材取付縦枠４は縦方向に設置され、空気層の空気が熱せられ浮力が発生し、ドラフト力で通気するものを防げないようにする。
【００１５】
支持棒６の先端部分と外装材取付縦枠４との連結状態は下記の通りである。
外装材取付縦枠４における内方面４Ａに支持棒６の先端部分が貫入できる円孔４Ａ１を開設すると共に、外装材取付縦枠４における外方面４Ｂには外方ナット８の外ナット体８Ｂを外方から操作するための円孔４Ｂ１を開設しておく。
そこで、支持棒６の先端部分から外方ナット８における外ナット体８Ｂを外しておき、内ナット体８Ａが外装材取付縦枠４の内方面に位置する状態で当該支持棒６を円孔４Ａ１に貫入したのち、外ナット体８Ｂで外方から締付ける。
支持棒６には剪断応力しかかからず、躯体と外装材の距離の大小に関係する曲げモーメント力はかからないので、剪断応力に耐える太さだけ考慮すればよい。
【００１６】
なお、上記外装材取付金具１は下記の効果を期待することができる。
Ａ．外装材取付縦枠４と躯体をつなぐ支持棒６には剪断応力、補強部９には引っ張り応力しかかからないため、断熱材の厚さの大小に関わらず、各部材の断面積を小さくできる。
Ｂ．断熱材の中を斜めに貫通する補強部は折曲げにより幅を最小にすることにより、切込みを入れた断熱材に隙間やつぶれができず、また、施工性が向上する。
Ｃ．外装材を取付ける下地材となる外装材取付縦枠のレベル調整は支持棒先端のナットにより容易にできる。
【００１７】
以下、第１発明の外装材取付装置１Ａ１と、第２発明の外装材取付装置１Ａ２について説明する。
１．第１発明の外装材取付装置１Ａ１について
Ａ．外装材取付装置１Ａ１は、上記外装材取付金具１と第１横振れ防止具１０から構成されている。
Ｂ．躯体２の壁面部３とは所望する間隔をもって平行状態で起立されている外装材取付金具１、１、１、１．．．における正面から見て中央に位置する外装材取付金具１と、左方に位置する外装材取付金具１と、右方に位置する外装材取付金具１と、第１横振れ防止具１０から構成されている。
そこで、第１横振れ防止具１０は、中央に位置する外装材取付金具１に取付けられる中央金具１０Ａと、中央金具１０Ａと左方に位置する外装材取付金具１との間に張設される左方連結棒１０Ｂと、中央金具１０Ａと右方に位置する外装材取付金具１との間に張設される右方連結棒１０Ｃから構成されている。
【００１８】
Ｃ．中央金具１０Ａは、正面左右に長い細幅板の中央部１０Ａ１を残して前方に向け折曲げ形成した左右片１０Ａ２、１０Ａ２と、中央部１０Ａ１に開設された支持棒６の先端が貫入される中央孔と左右片に開設された連結棒貫入用の側方孔から構成されている。
Ｄ．左方連結棒１０Ｂは、所定長さの連結棒１０Ｂ１の左端に固着された小板１０Ｂ２と、この小板に開設された支持棒６の後端が貫入される左方孔と、中央金具１０Ａの連結棒貫入用の側方孔を貫通する連結棒１０Ｂ１の右端に螺合されたナット１０Ｂ３、１０Ｂ４から構成されている。
Ｅ．右方連結棒１０Ｃは、所定長さの連結棒１０Ｃ１の右端に固着された小板１０Ｃ２と、この小板に開設された支持棒６の後端が貫入される右方孔と、中央金具１０Ａの連結棒貫入用の側方孔を貫通する連結棒１０Ｃ１の左端に螺合されたナット１０Ｃ３、１０Ｃ４から構成されている。
Ｆ．連結状態は下記の通りである。
中央金具１０Ａは、外装材取付縦枠４における内方面４Ａに支持棒６、外方ナット８で固定されている。
左方連結棒１０Ｂの右方端と右方連結棒１０Ｃの左方端は、中央金具１０Ａに固定され、左方連結棒１０Ｂの左方端と右方連結棒１０Ｃの右方端は、支持棒６、根本用ナット７でグリップアンカー５に固定されている。
【００１９】
２．第２発明の外装材取付装置１Ａ２について
Ａ．外装材取付装置１Ａ２は、上記外装材取付金具１と第２横振れ防止具１１から構成されている。
第２横振れ防止具１１の構成は下記の通りである。
Ｂ．躯体２の壁面部３とは所望する間隔をもって平行状態で起立されている外装材取付金具１、１、１、１．．．における正面から見て中央に位置する外装材取付金具１と、左方に位置する外装材取付金具１と、右方に位置する外装材取付金具１と、第２横振れ防止具１１から構成されている。
そこで、第２横振れ防止具１１は、中央に位置する外装材取付縦枠４に開設された左方用横穴１１Ａと、左方に位置する外装材取付金具１との間に張設される左方連結棒１１Ｂと、中央に位置する外装材取付縦枠４に開設された右方用横穴１１Ｃと、右方に位置する外装材取付金具１との間に張設される右方連結棒１１Ｄから構成されている。
【００２０】
Ｃ．左方用横穴１１Ａは、外装材取付縦枠４における左右側面を左方から右方に向け貫通して開設されている。
Ｄ．右方用横穴１１Ｃは、外装材取付縦枠４における左右側面を右方から左方に向け貫通して開設されている。
Ｅ．左方連結棒１１Ｂは、所定長さの連結棒１１Ｂ１の左端に固着された小板１１Ｂ２と、この小板に開設された支持棒６の後端が貫入される左方孔と、左方用横穴１１Ａを貫通する連結棒１１Ｂ１の右端に螺合されたナット１１Ｂ３から構成されている。
Ｆ．右方連結棒１１Ｄは、所定長さの連結棒１１Ｄ１の右端に固着された小板１１Ｄ２と、この小板に開設された支持棒６の後端が貫入される右方孔と、右方用横穴１１Ｃを貫通する連結棒１１Ｄ１の左端に螺合されたナット１１Ｄ３から構成されている。
Ｇ．連結状態は下記の通りである。
左方連結棒１１Ｂの左方端と右方連結棒１１Ｄの右方端は、支持棒６、根本用ナット７でグリップアンカー５に固定されている。
左方連結棒１１Ｂの右方端と右方連結棒１１Ｄの左方端は、それぞれ左方用横穴１１Ａと右方用横穴１１Ｃを貫通した後、ナットで締付け固定されている。
【００２１】
そこで、外装材取付装置の使用方法は、下記のように構成されている。
図１０、図１１を参照して、壁面部３に対して左方から右方に所定間隔をもって起立させた第１発明の外装材取付装置１Ａ１、１Ａ１、１Ａ１．．．あるいは第２発明の外装材取付装置１Ａ２、１Ａ２、１Ａ２．．．において、これら各外装材取付装置における外装材取付縦枠４の外方面４Ｂに外装材１３を張設するよう構成されている。
【００２２】
第１発明の外装材取付装置１Ａ１を例に施工の手順は、次の通りである。
Ａ．第１横振れ防止具１０の取付は中央部の外装材取付金具１と左部及び右部の外装材取付金具１の３本の外装材取付金具１で取付けられる。
中央部の取付は、コンクリート躯体の壁面部３に取付けられたグリップアンカー５に下方に傾斜状態で取付く補強部９をネジ加工された支持棒６を介して根本用ナット７で締付け固定する。
左部の取付はコンクリート躯体の壁面部３に取付けられたグリップアンカー５に左方連結棒１０Ｂと下方に傾斜状態で取付く補強部９をネジ加工された支持棒６を介して根本用ナット７で締付け固定する。
右部の取付はコンクリート躯体の壁面部３に取付けられたグリップアンカー５に右方連結棒１０Ｃと下方に傾斜状態で取付く補強部９をネジ加工された支持棒６を介して根本用ナット７で締付け固定する。
そして、上方向または下方向及び左右方向に連続する箇所において同じ操作を繰返す。  なお、第１横振れ防止具１０は外装材の重量、建物の高さによる地震等の横振れ力が考慮され、一定の間隔で取付けられることとなる。
Ｂ．このとき左部及び右部に取付けられた左方連結棒１０Ｂ及び右方連結棒１０Ｃの先端が、互いに中央部の外装材取付金具１の方向に向くよう水平に取付ける。
なお、グリップアンカーは取付けられる角筒状の外装材取付縦枠４に合わせ縦方向に適数本取付けられていると共に、横方向に一定のピッチで並べて打ち込まれている。
【００２３】
Ｃ．左部の左方連結棒１０Ｂ及び右部の右方連結棒１０Ｃや、中央部に傾斜状態で取付けられる補強部９を、支持棒６と根本用ナット７で取付けた状態にして、ロックウールやグラスウールなどの断熱材１２を取付ける。
断熱材１２を取付ける時、支持棒６の先端部分に断熱材１２を上から押込むことにより容易に断熱材１２を取付けることができる。
断熱材１２を押込んで表面に出てきた支持棒６の先端を中心に、下方向にカッターナイフなどで断熱材１２に切込みを入れる。
さらに、左部及び右部は支持棒６の先端を中心に中央部の支持棒６の方向に、カッターナイフなどで断熱材１２に切込みを入れる。
断熱材１２の切込みを入れたところから左方及び右方の連結棒１０Ｂ１、１０Ｃ１と、傾斜状態で取付く補強部９を断熱材表面に先端部分を引出す。補強部９の先端の挟持枠用片９Ｃを左右に開き、外装材取付縦枠４が入り込むようにする。
外装材取付縦枠４を固定するための内ナット体８Ａを、断熱材から突出している支持棒６の先端に取付ける。
また、左部及び右部から取り出した連結棒１０Ｂ１、１０Ｃ１の先端にナット１０Ｂ３、１０Ｃ３を取付ける。
Ｄ．中央部の支持棒６の先端に左方及び右方の連結棒１０Ｂ１、１０Ｃ１の先端を固定する中央金具１０Ａを取付ける。
外装材取付縦枠４の内方面４Ａに開けられている円孔４Ａ１に支持棒６の先端部分を貫通させ取付け、外装材取付縦枠４の外方面４Ｂに開けられた円孔４Ｂ１より外ナット体８Ｂを入れ、支持棒６先端に締付固定する。
このとき、外装材取付縦枠４を止めている支持棒６の先端に取付けられている内ナット体８Ａ及び外ナット体８Ｂを回転させ、外装材取付縦枠４のレベル調整を行う。
Ｅ．左右に開いた補強部９の挟持枠用片９Ｃの先端を、外装材取付縦枠の左右側面にはさみ込みビス９Ｃ２で固定する。
Ｆ．左方連結棒１０Ｂ及び右方連結棒１０Ｃの連結棒１０Ｂ１、１０Ｃ１の先端を、中央金具１０Ａの側方孔へ裏側から通しナット１０Ｂ４、１０Ｃ４を締付することにより中央金具１０Ａに固定する。
【００２４】
【実施例】
さらに、以下のような条件で実験した結果、極めて良好な結果が得られた。
補強部や連結棒が貫通する断熱材にカッターで切込みを入れるだけのため、作業性が向上した。
さらに補強部や連結棒の断面が板状や小径となっているため、断熱材のつぶれや大きな隙間が発生せず、断熱性能を低下させることがなくなった。
図中、１４は通気層である。
【００２５】
【発明の効果】
本発明は、上述の通り構成されているので次に記載する効果を奏する。
Ａ．中央に位置する外装材取付金具の先端と左方及び右方に位置する外装材取付金具の取付部をつなぐ左方連結棒及び右方連結棒には、外装材の横揺れに対し引っ張り応力しかかからないため、断熱材の厚さの大小に拘らず、断面積を小さくできる。
Ｂ．断熱材の中を貫通する左方連結棒及び右方連結棒は小径の断面にすることにより、切込みを入れた断熱材に隙間やつぶれができず、また、施工性が向上する。
Ｃ．左方連結棒１０Ｂ及び右方連結棒１０Ｃの先端に付いているナットにより外装材取付縦枠の左右方向の位置ずれを容易に調整できる。
Ｄ．外断熱における外装面にかかる地震力は、外装材重量が重いほど、躯体と外装面の距離が大きくなるほど、そして建物に取付けられている位置が高いほど大きな力がかかることになる。
そのため、外装材の重量や建物に取付く高さにより横振れ防止具の取付数を調整することで、適正な強度が確保できると共に不要なコストを削減できる。
Ｅ．このほか、安価に製造できる、部品点数が少ないので組立が容易である、経済的である、などの効果をも有するものである。
【図面の簡単な説明】
【図１】本発明に用いる外装材取付金具の施工状態を説明する１部を切欠いた斜視図である。
【図２】同上の要部拡大分解斜視図である。
【図３】第１発明の施工状態を説明する１部を切欠いた斜視図である。
【図４】同上の横断面図である。
【図５】図４の要部拡大図である。
【図６】第１発明の要部拡大分解斜視図である。
【図７】第２発明の施工状態を説明する１部を切欠いた斜視図である。
【図８】同上の要部拡大横断面図である。
【図９】第２発明の要部拡大分解斜視図である。
【図１０】本発明のものの略図的斜視図である。
【図１１】同上の要部拡大図である。
【符号の説明】
１  本発明に用いる外装材取付金具
２  躯体
３  壁面部
４  外装材取付縦枠
９  補強部
１Ａ１  第１発明の外装材取付装置
１０  第１横振れ防止具
１Ａ２  第２発明の外装材取付装置
１１  第２横振れ防止具
【図１】
0003546400.tif 000002
【図２】
0003546400.tif 000003
【図３】
0003546400.tif 000004
【図４】
0003546400.tif 000005
【図５】
0003546400.tif 000006
【図６】
0003546400.tif 000007
【図７】
0003546400.tif 000008
【図８】
0003546400.tif 000009
【図９】
0003546400.tif 000010
【図１０】
0003546400.tif 000011
【図１１】
0003546400.tif 000012